(57)【要約】【課題】  本提案は医療現場において、輸血、薬剤、栄養剤等の点滴補給管や、患者の廃泄物の排泄管等を簡易、確実に取付けられるようにし、又外力が加わってもたやすく抜けないようにする。【解決手段】  基材、粘着層、剥離紙からなる貼用被覆材を医療現場で使用する輸管、排泄管等の太さに合わせた巾、長さの長方形に切り抜き、長さの中心から管の外周よりや丶短い寸法を振り分けて、短辺と平行に剥離紙に切り込みを施してなる輸液管等の係止材を予め用意し、医療現場での作業を簡易、確実に行い得るようにした。【選択図】図７
0003130607.tif 000002
【実用新案登録請求の範囲】
【請求項１】
基布、粘着層、剥離紙の三層からなる粘着被膜材を、使用せんとする管の直径の約１０倍を長辺とし、約３倍を短辺とする長方形に切り抜き、長辺の中心から使用する管の外周より、やヽ短い寸法を振り分け、二本の切り込み線を剥離紙に入れてなる、患者用輸管等の人体係止材。
【請求項２】
二本の切り込み線と、長辺とのなす、ほヾ正方形部分の長辺に沿った部位の一部を図６のように切り欠くことを特徴とする請求項１の人体系止材。
【請求項３】
使用せんとする管の直径の約１０倍を巾とする、基布、粘着層、剥離紙からなる三層の長尺巻の粘着被覆材の巾の中心から管の外周よりや丶短い寸法を振り分け、剥離紙全長に２条の切り込み線を入れて使用の都度必要長を切り取って使用する請求項１の人体係止材。
【考案の詳細な説明】
【技術分野】
【０００１】  本考案は医療の現場において、患者に輸血をする時、薬剤や栄養剤を留置針を用いて補給する時、流動食を管で給食する時及び患者の廃泄物を輸管で排泄させる時など、管を患者に直接挿入する場合など、留置針や挿入部の至近で、管を患者の皮膚に係止する方法に関する。
【背景技術】
【０００２】  上記輸管等を患者の皮膚に係止するのは看護師の重要な作業の一つであるが、現今、留置針を係止する方法は留置針に係止材が添付されているが、留置針に続く輸管には添付されていない。【０００３】  留置針に続く至近で輸管をＵ字状に迂回させて余裕を持たせるように粘着テープで係止して、輸管に予期しない外力が加わっても、留置針や患者に挿入されている輸管に影響がないようにするが、現今何処の病院でも、輸管の上から、紙基材の粘着テープを１，２ヶ所貼っている丈で確実には係止されていない。【０００４】  特許文献等においても、前記留置針の係止法についての提案はあるが、簡易に使用できて、確実な輸管等の係止技術は見当らない。
【考案の開示】
【考案が解決しようとする課題】
【０００５】  器具を要せず、誰でも簡易に使用でき、装着後の結果に出来不出来のない輸管等、患者への挿入部至近の皮膚で確実に係止することができ、輸管に引張る外力が働いても、留置針に影響を与えたり、輸管等が患者から抜けたりすることのない管係止材を提供せんとする。
【課題を解決する為の手段】
【０００６】  既に製造されている長時間貼用しても、粘着力が低下せず又炎症をおこさない、基布、粘着層、剥離紙からなる貼着被覆材を用い、剥離紙を適宜、利便に使用することにより、課題を解決し得た。
【考案の効果】
【０００７】  本考案の実施により、医師や看護師による患者への輸管や排泄管の取りつけは簡便、確実となり、その後の維持、管理も仕易い等の効果がある。
【考案を実施するための最良の形態】
【０００８】  基布、粘着層、剥離紙の三層からなる粘着被覆材を、一辺を使用せんとする管の直径の約１０倍を長辺とし、約３倍を短辺とする長方形とし、その中心から長手方向に使用せんとする管の周囲の８５％位の長さを振り分け、図１、図２のように剥離紙に切り込みを入れ、輸管等係止材はなる。【０００９】  本輸管等係止材の使用法を図３〜図５について述べる。  先ず使用する輸管の直径に合った大きさの係止材を選び、次で患者の取りつけようとする部位を、アルコールを浸した脱脂綿でよく拭いて置く、次に３分割してある剥離紙のうち、中央部分を剥し、図３のように輸管に巻きつけ、次で両外側の一方の剥離紙を剥し、患者の所定の位置に貼り、更に残っている剥離紙を剥し対応する位置に貼れば１つの係止作業は終る。  通常２ヶ所係止して管をＵ字状に配置することが多く、同様作業を繰り返し行い全ての係止作業は終る。【００１０】  輸菅等に外力が加わり、引き抜かれる状況を観察すると、管は通常塩化ビニール樹脂製であるから、管外周と粘着層との粘着力は極めて強く、長時間経過しても粘着力は劣化しないが、皮膚と粘着層との粘着力は、皮脂吸着剤を混入した粘着層のものでも完璧とは云えず、時間と共に粘着力は低下する。  対策として、図６のように粘着層に切り欠き７をつけ、輸管に外力が掛っても、外力が粘着層のふちの角８に直接掛からないようにし、切り欠き７の隅部９で受け、張力を分散させ、剥離に対する抵抗力を増大させたものである。一方のみ切り欠きをつけた場合、使用法を誤るおそれがあるので、両方を切り欠いたのであるが、管と粘着層との粘着は極めて強いから、粘着巾が減少しても係止材が人体に残り、管のみが引き抜かれることはない。【００１１】  輸菅等に外力が加わる方向は決まっているので、長方形の外形を図８のようにすれば使用方向を誤ることはないであろう。然しこの形でも切り欠き７を入れないと剥離に対する抵抗力は増大しない。人体に貼着する部分の形状はどのようであっても、同質の粘着層で面積が同じならば、剥離に対する抵抗力に大きな差はなく、単に外観丈の相違であるから、人体に貼着する部分の形状は菱形、蝶の羽根型等であってもよい。【００１２】  患者に薬剤、栄養剤等を補う為の輸管等を係止する為には、個別包装のものが管理上、衛生上安全であるが、排泄部や感染のおそれのない部位に使用する係止材は、使用する管の直径の約１０倍を巾とする長尺のテープの剥離紙の中央長手方向に、管の外周の約８５％巾の切り込みを入れ巻き取って置けば、随時鋏で切り取って使用でき、安価に供給できる。
【図面の簡単な説明】
【００１３】
【図１】は  本係止材の正面図
【図２】は  本係止材の底面図
【図３】は  本係止材を輸液管等に巻きつけた正面図
【図４】は  本係止材一方の粘着層を人体に張った正面図
【図５】は  本係止材を使用している状態の正面図
【図６】は  粘着補強のための切り欠きを設けた本係止材の平面図
【図７】は  図６で示す本係止材を使用している状態の外観平面図
【図８】は  図６の人体に貼着する部位が変形の一例を示す平面図
【符号の説明】
【００１４】    １．基布    ２．粘着層    ３．剥離紙    ４．切り込み線    ５．輸管断面    ６．人体    ７．切り欠き    ８．粘着層ふちの角部    ９．隅部
【図１】
0003130607.tif 000003
【図２】
0003130607.tif 000004
【図３】
0003130607.tif 000005
【図４】
0003130607.tif 000006
【図５】
0003130607.tif 000007
【図６】
0003130607.tif 000008
【図７】
0003130607.tif 000009
【図８】
0003130607.tif 000010
【手続補正書】
【提出日】平成18年12月27日(2006.12.27)
【手続補正１】
【補正対象書類名】実用新案登録請求の範囲
【補正対象項目名】請求項２
【補正方法】変更
【補正の内容】
【請求項２】
二本の切り込み線４と長辺とのなす、ほヾ正方形の部位の１部を長辺に平行に、短辺の長さの約２０％を長辺に副って１ヶ所又は、２ヶ所を切り欠くことを特徴とする請求項１の人体系止材。